(57)【要約】【課題】              電子ユニットが装着されない空き領域を塞いで高い放熱性を確保するとともに、保守性および原価低減効果を確保しつつ、ダミー部材に耐久性のある電子装置を提供すること。【解決手段】          装置を動作させる板状の電子ユニット４が多段装着される電子装置１において、電子ユニット４が装着されない空き領域に装着されるとともに、枠状ないし箱状の複数のパーツ５ａ、５ｂ、５ｃ、５ｄが互いにスライドすることにより伸縮自在に構成されたテレスコピック型伸縮部材よりなるダミー部材５を備えることを特徴とする。【選択図】            図１
2006216594.tif 000002
【特許請求の範囲】
【請求項１】
装置を動作させる板状の複数の電子ユニットが多段装着される電子装置において、
前記電子ユニットが装着されない空き領域に装着されるとともに、枠状ないし箱状の複数のパーツが互いにスライドすることにより伸縮自在に構成されたテレスコピック型伸縮部材よりなるダミー部材を備えることを特徴とする電子装置。
【請求項２】
前記ダミー部材の各パーツは、前記ダミー部材が伸びきったときに互いに抜け落ちないように係止する係止部を有することを特徴とする請求項１記載の電子装置。
【請求項３】
前記ダミー部材は、端面にヒンジ部を介して回動自在に配設されたカバー部を有することを特徴とする請求項１又は２記載の電子装置。
【請求項４】
前記カバー部は、第２のヒンジ部を介して回動自在に配設された第２のカバー部を有することを特徴とする請求項３記載の電子装置。
【請求項５】
前記電子ユニットを冷却する冷却ファンユニットを備えることを特徴とする請求項１乃至４のいずれか一に記載の電子装置。
【発明の詳細な説明】
【技術分野】
【０００１】
本発明は、装置を動作させる板状の電子ユニットが多段装着される電子装置に関する。
【背景技術】
【０００２】
プリント配線基板などの板状の電子ユニット１０４が多段装着されるとともに、当該電子ユニット１０５を冷却する冷却ファンユニット１０３を有する従来の電子装置１０１においては、電子ユニット１０４が装着されない空き領域がある場合には、装置内の冷却効率を向上させるために、装置を動作させないダミー部材１０５を当該空き領域に装着していた（図４参照）。
【０００３】
しかしながら、従来の電子装置では、電子ユニットの厚さが様々であるため、電子基板の厚さに対応したダミー部材を用意する必要があった。また、複数の電子ユニットが実装されない場合には、複数のダミー部材を実装していたため、ダミー部材が足りない場合には空所のままにせざるをえなかった。さらに、空き領域の全てにダミー部材を装着できない場合には、装置内部への異物の混入のおそれがあり、冷却効率が低下するおそれがある。
【０００４】
このような問題を解決するものとして、基本実装プリント板とオプション実装プリント板が混在実装されると共に、空きオプション実装位置にはダミー部材が実装される電子機器において、多段の空きオプション実装位置をカバーする伸縮自在のジャバラダミー部を有するように構成したものが開示されている（特許文献１参照）。
【０００５】
【特許文献１】特開平９−３３１１２７号公報
【発明の開示】
【発明が解決しようとする課題】
【０００６】
しかしながら、特許文献１に記載の電子機器では、ジャバラダミー部に折り目があるため、折り目に亀裂が生じたりして、繰り返し使用できなくなるおそれがある。
【０００７】
本発明の課題は、電子ユニットが装着されない空き領域を塞いで高い放熱性を確保するとともに、保守性および原価低減効果を確保しつつ、ダミー部材に耐久性のある電子装置を提供することである。
【課題を解決するための手段】
【０００８】
本発明においては、装置を動作させる板状の電子ユニットが多段装着される電子装置において、前記電子ユニットが装着されない空き領域に装着されるとともに、枠状ないし箱状の複数のパーツが互いにスライドすることにより伸縮自在に構成されたテレスコピック型伸縮部材よりなるダミー部材を備えることを特徴とする。
【０００９】
本発明の前記電子装置において、前記ダミー部材の各パーツは、前記ダミー部材が伸びきったときに互いに抜け落ちないように係止する係止部を有することが好ましい。
【００１０】
本発明の前記電子装置において、前記ダミー部材は、端面にヒンジ部を介して回動自在に配設されたカバー部を有することが好ましい。
【００１１】
本発明の前記電子装置において、前記カバー部は、第２のヒンジ部を介して回動自在に配設された第２のカバー部を有することが好ましい。
【００１２】
本発明の前記電子装置において、前記電子ユニットを冷却する冷却ファンユニットを備えることが好ましい。
【発明の効果】
【００１３】
本発明によれば、ダミー部材は折り目のないテレスコピック型伸縮部材よりなるので、耐久性に優れ、繰り返し用いることができる。また、ダミー部材によって電子ユニットが装着されていない空き領域を塞いでいるので、装着されている電子ユニットの領域に効率よく冷却空気を流すことができる。また、１つのダミー部材で１又は複数の電子基板が装着されていない空き領域を塞ぐことができる。
【発明を実施するための最良の形態】
【００１４】
（実施形態１）
本発明の実施形態１に係る電子装置について図面を用いて説明する。図１は、本発明の実施形態１に係る電子装置の構成を模式的に示した（Ａ）斜視図、（Ｂ）正面図、及び（Ｃ）断面図である。図２は、本発明の実施形態１に係る電子装置のダミー部材の構成を模式的に示した縮小時及び伸長時のそれぞれに係る斜視図及び断面図である。
【００１５】
図１を参照すると、電子装置１は、通信機、コンピュータなどの電子装置であり、ケーシング２と、冷却ファンユニット３と、電子ユニット４と、ダミー部材５と、を有する。なお、図１では、説明の便宜上、ケーシング２の冷却ファンユニット３が配された面を上面としている。
【００１６】
ケーシング２は、複数の電子ユニット４を多段装着するための筐体である。ケーシング２は、電子ユニット４とコネクタ（図示せず）を介して電気的に接続される電子部品（図示せず）を実装する。ケーシング２の上面側には、冷却ファンユニット３が実装されている。ケーシング２の内部は、電子ユニット４の電子基板４ａを収容するためのスペースを有する。ケーシング２の正面側には、電子ユニット４を挿入するための挿入口を有する。ケーシング２の挿入口は、電子ユニット４の前面板４ｂによって塞がれている。ケーシング２は、電子ユニット４を上下方向に立てて保持するための複数のガイドレール（図示せず）が取り付けられている。ケーシング２の底面側には、外の空気を流入するための通気口（図示せず）を有する。
【００１７】
冷却ファンユニット３は、電子ユニット４（の電子基板４ａ）を冷却する冷却ファン３ａを備えたユニットである。冷却ファンユニット３の配設位置は、電子ユニット４の冷却効率を考慮して適宜設定されるが、図１のように、電子ユニット４（の電子基板４ａ）の上面側に配されるようにケーシング２の上部に配設することができる。冷却ファン３ａによってケーシング２内の空気を排出することにより、ケーシング２の通気口（図示せず）から外の空気が流入し、流入した空気が電子基板４ａを冷却しつつ電子基板４ａの板面に沿って流れ、そして、電子基板４ａ上を通過した空気が冷却ファン３ａによって排出されることになる（図１（Ｃ）の矢印参照）。
【００１８】
電子ユニット４は、装置を動作させる電子回路を備えた板状のユニットである。電子ユニット４、例えば、プリント配線板、ＰＣスロットカード等が挙げられる。電子ユニット４は、ケーシング２にて多段装着される。電子ユニット４は、ケーシング２に出し入れ自在に装着される。電子ユニット４は、上下方向に立てた状態で、ケーシング２に取り付けられたガイドレール（図示せず）に保持される。電子ユニット４は、図１では、電子基板４ａと、前面板４ｂと、を有する。電子基板４ａは、装置を動作させる電子部品を実装したプリント配線基板よりなり、ケーシング２内にて上下方向に立てた状態で配置されている。電子基板４ａの正面側の端面には、前面板４ｂが取り付けられている。前面板４ｂは、電子ユニット４をケーシング２に装着したときに、ケーシング２の挿入口（の一部）を塞ぐ板状部材である。
【００１９】
ダミー部材５は、電子ユニット４のダミーとなる部材であり、ケーシング２内に電子ユニット４が装着されない空き領域がある場合における冷却効率を向上させるためのものである。ダミー部材５は、枠状ないし箱状の複数のパーツ５ａ、５ｂ、５ｃ、５ｄが互いにスライドすることにより伸縮自在に構成されたテレスコピック型伸縮部材である（図２参照）。ダミー部材５の各パーツ５ａ、５ｂ、５ｃ、５ｄは、ダミー部材が伸びきったときに互いに抜け落ちないように係止する係止部５ｅを有する。ダミー部材５は、装置を動作させる電子部品を実装していない。ダミー部材５は、ケーシング２内の電子ユニット４が装着されていない部位の空き領域に装着され、空き領域の大きさに応じて伸縮が調整される。
【００２０】
実施形態１によれば、以下のような効果を奏する。第１の効果は、電子ユニット４が装着されていない空き領域をダミー部材５が塞ぐことにより、装着されている電子ユニット４（の電子基板４ａ）の領域に効率よく空気を流すことができ、ダミー部材５が装着されていない時に比べて冷却能率が向上する。第２の効果は、ダミー部材５は伸縮できるため、複数のダミー部材を使用することなく、１つのダミー部材５で電子ユニット４が装着されていない空き領域を塞ぐことができ、部材を減らすことができ、原価低減効果が期待できる。第３の効果は、ダミー部材５により電子ユニット４が装着されていない空き領域を塞ぐことにより、冷却ファン３ａの騒音の漏れ出る経路を塞ぐことができ、静粛化を果たすことができる。第４の効果は、ダミー部材５により電子ユニット４が装着されていない空き領域を塞ぐことにより、装置内部への異物混入を防ぐことができる。第５の効果は、ダミー部材５は折り目のないテレスコピック型伸縮部材よりなるので、耐久性に優れ、繰り返し用いることができる。
【００２１】
（実施形態２）
次に、本発明の実施形態２に係る電子装置について図面を用いて説明する。図３は、本発明の実施形態２に係る電子装置の構成を模式的に示した分解斜視図である。
【００２２】
実施形態２に係る電子装置１１は、折畳式ノート型パソコンであり、ダミー部材１５以外の基本的構成は実施形態１と同様である。なお、説明の便宜上、冷却ファンユニット及び電子ユニットは図示していない。ダミー部材１５は、実施形態１のダミー部材（図２の５参照）と同様のテレスコピック型伸縮部材を有し、テレスコピック型伸縮部材の１つの端面にヒンジ部１５ａを介して回動自在に配設されたカバー部１５ｂを有する。ダミー部材１５は、ケーシング１２の挿入口１２ａに電子ユニット（図示せず）が挿入されていないときに、テレスコピック型伸縮部材を伸長させた状態にし、かつ、カバー部１５ｂを開いた状態にして、ケーシング１２に装着することになる。なお、カバー部１５ｂは、図３では１段下の電子ユニット（図示せず）の挿入部分を塞ぐ構成であるが、２段下の場合にも対応できるようにするために、第２のヒンジ部（図示せず）を介して回動自在に配設された第２のカバー部（図示せず）を備える構成にしてもよく、さらに第３以上のヒンジ部及びカバー部を備える構成にしてもよい。これにより、カバー部１５ｂは、隣接する電子ユニット（図示せず）の挿入部分を塞ぐことになる。
【００２３】
このように、実施形態２によれば、ダミー部材１５により電子ユニットが装着されていない空き領域を塞ぐとともに、電子ユニットの挿入部分を塞ぐことができるので、複数枚数のダミー部材を要するところを１つのダミー部材１５にて対応でき、部材削減による原価低減、騒音の漏れ出口の削減による低騒音化、異物混入防止、装置内部の空気流路の改善という効果が得られる。また、ダミー部材１５は折り目のないテレスコピック型伸縮部材よりなり、カバー部１５ｂも折り目のないヒンジ部１５ａを介して機械的に接続されているので、耐久性に優れ、繰り返し用いることができる。
【図面の簡単な説明】
【００２４】
【図１】本発明の実施形態１に係る電子装置の構成を模式的に示した（Ａ）斜視図、（Ｂ）正面図、及び（Ｃ）断面図である。
【図２】本発明の実施形態１に係る電子装置のダミー部材の構成を模式的に示した縮小時及び伸長時のそれぞれに係る斜視図及び断面図である。
【図３】本発明の実施形態２に係る電子装置の構成を模式的に示した分解斜視図である。
【図４】従来例に係る電子装置の構成を模式的に示した（Ａ）斜視図、（Ｂ）正面図、及び（Ｃ）断面図である。
【符号の説明】
【００２５】
１、１１、１０１  電子装置
２、１２、１０２  ケーシング
３、１０３  冷却ファンユニット
３ａ、１０３ａ  冷却ファン
４、１０４  電子ユニット
４ａ、１０４ａ  電子基板
４ｂ、１０４ｂ  前面板
５  ダミー部材
５ａ、５ｂ、５ｃ、５ｄ  パーツ
５ｅ  係止部
１２ａ  挿入口
１５  ダミー部材
１５ａ  ヒンジ部
１５ｂ  カバー部
１０５  ダミー部材
【図１】
2006216594.tif 000003
【図２】
2006216594.tif 000004
【図３】
2006216594.tif 000005
【図４】
2006216594.tif 000006